(57)【要約】【課題】外装材の施工性に優れた目地ジョイナーを提供する。【解決手段】目地ジョイナー１は、隣接する外装材の端面間に形成される目地部に配置される目地ジョイナーであって、脚板部１５と、該脚板部１５に立設し、側部１１と頂部１２とからなる凸状部１０と、を備え、少なくとも前記頂部１２は、透明な樹脂からなる。前記頂部１２の長手方向に長手方向直線状模様１２ａ、前記脚板部１５の長手方向に長手方向直線状模様１５ａを備えていることが好ましい。【選択図】図１
2019044563.tif 000002
【特許請求の範囲】
【請求項１】
隣接する外装材の端面間に形成される目地部に配置される目地ジョイナーであって、
前記目地ジョイナーは、脚板部と、該脚板部に立設し、側部と頂部とからなる凸状部と、を備え、
前記頂部の少なくとも一部は、透明又は半透明な樹脂からなる目地ジョイナー。
【請求項２】
前記頂部は、該頂部の長手方向に長手方向直線状模様を備えた請求項１に記載の目地ジョイナー。
【請求項３】
隣接する外装材の端面間に形成される目地部に配置される目地ジョイナーであって、
前記目地ジョイナーは、脚板部と、該脚板部に立設し、側部と頂部とからなる凸状部と、を備え、
前記頂部は、該頂部の長手方向に透明又は半透明の長手方向直線状模様を備えた目地ジョイナー。
【請求項４】
前記頂部の下方に、該頂部に平行な中板部又は底板部を更に備え、
該中板部又は底板部の少なくとも一部は、透明又は半透明な樹脂からなり、
該中板部又は底板部は、該中板部又は底板部の長手方向に長手方向直線状模様を備えた請求項１乃至３のうちのいずれか１項に記載の目地ジョイナー。
【請求項５】
前記頂部の下方に、該頂部に平行な中板部又は底板部を更に備え、       
該中板部又は底板部は、該中板部又は底板部の長手方向に透明又は半透明の長手方向直線状模様を備えた請求項１乃至３のうちのいずれか１項に記載の目地ジョイナー。
【請求項６】
前記脚板部は、少なくとも一部が、透明又は半透明な樹脂からなり、該脚板部の長手方向に長手方向直線状模様を備えた請求項1乃至５のうちのいずれか1項に記載の目地ジョイナー。
【請求項７】
前記長手方向直線状模様は、直線状の破線である請求項２乃至６のうちのいずれか１項に記載の目地ジョイナー。
【請求項８】
前記頂部及び／又は脚板部には、該頂部及び／又は脚板部の長手方向に対して直角に複数の短手方向直線状模様を備えた請求項１乃至7のうちのいずれか１項に記載の目地ジョイナー。
【請求項９】
ポリカーボネート樹脂、アクリル樹脂、ポリエチレン樹脂又はポリプロピレン樹脂で一体に形成された請求項１乃至８のうちのいずれか１項に記載の目地ジョイナー。
【発明の詳細な説明】
【技術分野】
【０００１】
本発明は、隣接する外装材の端面間に形成される縦目地部に配置される縦目地ジョイナーに関する。
【背景技術】
【０００２】
従来、サイディングボード等の外装材を建物の壁面に施工するに際しては、隣接する外装材の端面間に形成される目地部に目地ジョイナーを配置する（例えば、特許文献１参照。）。
例えば、目地ジョイナーを用いて外装材を横張り施工をする場合を説明すると、施工に際しては、まず外装材を留め付ける端部の位置に墨打ちをし、長尺の目地ジョイナーを上下方向に配置する。そして、外装材を下方から順に目地ジョイナー上方に向かって墨打ち線に沿って留め付け施工していく。
【先行技術文献】
【特許文献】
【０００３】
【特許文献１】特開２００２−８８９３５号公報
【発明の概要】
【発明が解決しようとする課題】
【０００４】
しかしながら、墨打ち線は、目地ジョイナーの頂部の直下にあり、目地ジョイナーを配置した後は、墨打ち線が隠れてしまって見えない。
また、施工中には目地ジョイナーの側部が、外装材の端部に押圧されやすく、押圧された箇所が、横方向に移動し、目地ジョイナーが全体的に湾曲したり、変形する場合が生ずる。そうすると、墨打ち線から外れた位置に外装材の端部が留め付けされ、上方に施工していくに従って、外装材を施工箇所に適合させるために、外装材の横幅を変更していく必要が生ずる場合がある。
そのため、予め寸法決めをしてプレカットした外装材を準備しておいても、施工箇所に適合しない場合が生ずる。
そこで、外装材は、作業現場において切断作業を行って調整をしながら施工していく方法が採られている。
しかしながら、作業効率の面のみならず、施工現場での切断作業は、騒音が大きく、粉じんが舞い上がったりして、近隣の住民への環境問題が避けられないのが実情である。
予め、集じん、防音設備の整った工場においてプレカットした外装材を用いて作業現場で施工できれば、作業効率の向上のみならず、環境問題も少なくすることができる。
【０００５】
本願発明は、上記問題を解決するものであり、外装材の施工性に優れた目地ジョイナーを提供することを目的とする。
【課題を解決するための手段】
【０００６】
上記の課題を解決するために、請求項１に係る目地ジョイナーの特徴は、隣接する外装材の端面間に形成される目地部に配置される目地ジョイナーであって、
前記目地ジョイナーは、脚板部と、該脚板部に立設し、側部と頂部とからなる凸状部と、を備え、前記頂部の少なくとも一部は、透明又は半透明な樹脂からなることである。
【０００７】
請求項２に係る目地ジョイナーの特徴は、請求項１において、前記頂部の長手方向に長手方向直線状模様を備えていることである。
【０００８】
請求項３に係る目地ジョイナーの特徴は、隣接する外装材の端面間に形成される目地部に配置される目地ジョイナーであって、前記目地ジョイナーは、脚板部と、該脚板部に立設し、側部と頂部とからなる凸状部と、を備え、前記頂部は、該頂部の長手方向に透明又は半透明の長手方向直線状模様を備えていることである。
【０００９】
請求項４に係る目地ジョイナーの特徴は、請求項１乃至３のうちのいずれか１項において、前記頂部の下方に、該頂部に平行な中板部又は底板部を更に備え、該中板部又は底板部の少なくとも一部は、透明又は半透明な樹脂からなり、該中板部又は底板部は、該中板部又は底板部の長手方向に長手方向直線状模様を備えていることである。
【００１０】
請求項５に係る目地ジョイナーの特徴は、請求項１乃至３のうちのいずれか１項において、前記頂部の下方に、該頂部に平行な中板部又は底板部を更に備え、該中板部又は底板部は、該中板部又は底板部の長手方向に透明又は半透明の長手方向直線状模様を備えていることである。
【００１１】
請求項６に係る目地ジョイナーの特徴は、請求項１乃至５のうちのいずれか１項において、前記脚板部は、少なくとも一部が、透明又は半透明な樹脂からなり、長手方向に長手方向直線状模様を備えていることである。
【００１２】
請求項７に係る目地ジョイナーの特徴は、請求項２乃至６のうちのいずれか１項において、前記長手方向直線状模様は、直線状の破線であることである。
【００１３】
請求項８に係る目地ジョイナーの特徴は、請求項１乃至７のうちのいずれか１項において、前記頂部及び／又は脚板部には、該頂部及び／又は脚板部の長手方向に対して直角に複数の短手方向直線状模様を備えていることである。
【００１４】
請求項９に係る目地ジョイナーの特徴は、請求項１乃至８のうちのいずれか１項において、ポリカーボネート樹脂、アクリル樹脂、ポリエチレン樹脂又はポリプロピレン樹脂で一体に形成されたことである。
【発明の効果】
【００１５】
請求項１に係る目地ジョイナーは、頂部の少なくとも一部が、透明又は半透明な樹脂からなるため、墨打ち線が透けて見え、墨打ち線を基準に外装材の端面を正確に目地ジョイナーの側部に当接させて施工することができる。
【００１６】
請求項２に係る目地ジョイナーにおいては、頂部の長手方向に長手方向直線状模様を備えているため、墨打ち線の真上に長手方向直線状模様を重ね合わせて目地ジョイナーを配置することができる。
【００１７】
請求項３に係る目地ジョイナーは、頂部の長手方向に透明又は半透明の長手方向直線状模様を備えているため、墨打ち線の真上に長手方向直線状模様を重ね合わせて目地ジョイナーを配置することができる。
【００１８】
請求項４に係る目地ジョイナーは、頂部の下方に、頂部に平行な中板部又は底板部を更に備え、中板部又は底板部の少なくとも一部は、透明又は半透明な樹脂からなり、中板部又は底板部の長手方向に長手方向直線状模様を備えており、直線状模様が、墨打ち線に近接しているため、墨打ち線の真上に長手方向直線状模様を重ね合わせやすい。
【００１９】
請求項５に係る目地ジョイナーは、頂部の下方に、頂部に平行な中板部又は底板部を更に備え、中板部又は底板部の長手方向に透明又は半透明の長手方向直線状模様を備えており、直線状模様が、墨打ち線に近接しているため、墨打ち線の真上に長手方向直線状模様を重ね合わせやすい。
【００２０】
請求項６に係る目地ジョイナーは、脚板部の少なくとも一部が、透明又は半透明な樹脂からなり、長手方向に長手方向直線状模様を備えているため、更に下地の墨打ち線との位置関係を把握しやすくなる。
【００２１】
請求項７に係る目地ジョイナーは、長手方向直線状模様が、直線状の破線であるため、より墨打ち線に長手方向直線状模様を重ね合わせやすい。
【００２２】
請求項８に係る目地ジョイナーは、頂部及び／又は脚板部には、長手方向に対して直角に複数の短手方向直線状模様を備えているため、外装材を下方から上方に向かって施工する際に、横並びの外装材の高さを正確に揃えることができる。
【００２３】
請求項９に係る目地ジョイナーは、ポリカーボネート樹脂、アクリル樹脂、ポリエチレン樹脂又はポリプロピレン樹脂で一体に形成されているため、折り曲げ加工、押し出し成型等により、容易に製作することができる。
【図面の簡単な説明】
【００２４】
【図１】実施形態に係り、破線を備えた目地ジョイナーを、下地材の墨打ち線に配置した模式的な斜視図である。
【図２】実施形態に係り、頂部の一部が透明な樹脂からなる目地ジョイナーを、下地材の墨打ち線に配置した模式的な斜視図である。
【図３】実施形態に係り、頂部の長手方向に透明の長手方向直線状模様を備えた目地ジョイナーの模式的な斜視図である。
【図４】実施形態の目地ジョイナーを下地材に載置する前の状態（ａ）、載置した後の状態（ｂ）を示す模式的な断面図である。
【図５】図２（ｂ）の状態から更に、外装材を着接した状態を示す模式的な断面図である。
【図６】他の実施形態に係る目地ジョイナーを示す模式的な断面図である。
【図７】更にその他の実施形態にかかる目地ジョイナーを示す模式的な断面図である。
【図８】他の実施形態に係り、底部を備えた目地ジョイナーを、墨打ち線を施した下地材に取り付ける状態を示す模式的な斜視図である。
【図９】実施形態の目地ジョイナーを下地材に載置する前の状態（ａ）、載置した後の状態（ｂ）を示す模式的な断面図である。
【図１０】図９（ｂ）の状態から更に、外装材を着接した状態を示す模式的な断面図である。
【図１１】他の実施形態に係り、底部の長手方向に透明の長手方向直線状模様を備えた目地ジョイナーの模式的な斜視図である。
【図１２】他の実施形態に係り、中板部を備えた目地ジョイナーを下地材に載置する前の状態（ａ）、載置した後の状態（ｂ）を示す模式的な断面図である。
【図１３】脚板部に、長手方向に対して直角に等間隔の短手方向直線状模様を備えた目地ジョイナーを示す模式的な平面図である。
【図１４】目地ジョイナーを取り付けた建物の壁面に外装材を施工していく様子を示した模式図である。
【発明を実施するための形態】
【００２５】
実施形態に係る目地ジョイナー１は、図１に示すように、一対の脚板部１５と、脚板部１５に立設し、対向する一対の側部１１と、側部１１に接続する頂部１２とからなる凸状部と、を備えた、いわゆるハット型目地ジョイナーである。
材質は特に限定はないが、少なくとも頂部の一部は、透明又は半透明な樹脂からなる。
「少なくとも」であるため、目地ジョイナー１のように、頂部１２全体が透明又は半透明であってもよいが、図２に示す目地ジョイナー１８のように頂部１６が、透明又は半透明な下方目視可能領域１６ｂと不透明な領域１６ｃからなるものであってもよい。
なお、本明細書において、「透明又は半透明」とは、目地ジョイナーを透かして見たときに、下地材が肉眼で透けて見える程度の透光性をいう。また、透明又は半透明は、有色、無色のいずれであってもよい。また、「半透明」、「不透明」は、樹脂全体が半透明、不透明である場合の他、表面に半透明又は不透明の塗装した場合又は、半透明又は不透明のフィルム又はテープ等を貼付した場合を含む。
なお、側部１１、脚板部１５の透明性については、特に限定されず、不透明であってもよいが、下地材が透かして見えるように、透明又は、半透明であることが好ましい。
更に、頂部には、後述のシーリング材との接着力を弱くするため等の目的で、透明又は半透明のフィルムを貼付してもよい。
【００２６】
また、樹脂の種類は特に限定はないが、ポリカーボネート樹脂、アクリル樹脂、ポリエチレン樹脂又はポリプロピレン樹脂のいずれかを採用することができる。そして、これらの樹脂で一体に目地ジョイナーを形成することが好ましい。
以下の実施形態においても、同様である。
【００２７】
また、頂部の長手方向に長手方向直線状模様を備えていることが好ましい。
「長手方向直線状模様」は、頂部の長手方向に平行で幅方向の位置を示す目印としての役割を果たせば、特に限定はされず、頂部に描いた線であってもよいし、頂部の形状を線状模様に形成してもよい。更に、線状の傷であってもよい。
また、長手方向直線状模様は、通常、幅方向の中央に位置するが、長手方向に平行な直線状模様であれば、幅方向の中央から外れた位置であってもよい。
目地ジョイナー１は、図１に示すように、頂部１２にはその長手方向に平行に、幅方向の中央に長手方向直線状模様としての破線１２ａが描かれている。
こうすることで、図４に示すように、下地材１００の墨打ち線１００ａの真上に長手方向直線状模様である破線１２ａを重ね合わせて目地ジョイナー１を配置することができる。
【００２８】
長手方向直線状模様は、破線のみならず、実線、一点鎖線、二点鎖線、点線などであってもよい。更に、これらの線は、一本線のみでなく二本線以上であってもよい。
また、点線の点の形状は、特に限定されず、円、正方形、菱形などであってもよい。
なお、長手方向直線状模様を描くには、頂部の上面に限定されず、頂部の下面であってもよい。
更に、頂部に貼付したフィルムに、長手方向直線状模様が描かれていてもよい。
【００２９】
また、図３に示す目地ジョイナー１９のように、頂部１７が、半透明又は不透明な樹脂部分１７ｂに対して、長手方向にそれより透明度の大きい透明又は半透明の長手方向直線状模様１７ａを備えることができる。
すなわち、長手方向直線状模様は、長手方向に向かって左右中央で色分けした色分け模様としてその色分けの境界線を長手方向直線状模様とすることができる。
なお、半透明と透明の区別は、長手方向直線状模様が目印として区別できる程度であればよい。また、長手方向直線状模様の透明部分を半透明又は不透明部分と交互に連続した波線状の模様としてもよい。
【００３０】
また、脚板部１５は、透明な樹脂であることが好ましく、こうであれば、脚板部１５と下地材１００との関係がより明確となる。更に、脚板部１５の長手方向に長手方向直線状模様１５ａを備えていることが好ましい。
こうすることで、目地ジョイナー１を墨打ち線１００ａに対して更に正確に配置しやすくすることができる。
長手方向直線状模様１５ａは、図１に示すように、脚板部１５それぞれの長手方向に一本ずつ備えているが、これに限定されず、幅方向の中央以外に備えてもよく、更に、複数本ずつ備えていてもよい。
【００３１】
また、目地ジョイナーの形状は、図６（ａ）に示す目地ジョイナー２のように、脚板部２５が片側のみのいわゆる片ハット型目地ジョイナーであってもよい。更に、側部及び頂部は平板状である必要はなく、図６（ｂ）に示す凸状部３０のように、側部３１と頂部３２の境界が明確でなくてもよい。更に、図６（ｃ）に示すように、脚板部４５が片側のみであってもよい。
【００３２】
また、図７（ａ）に示す目地ジョイナー５のように、頂部５２の長手方向に頂部５２を屈曲形成した長尺の凸状突起を、長手方向直線状模様５２ａとしてもよい。
更に、図７（ｂ）に示す目地ジョイナー６のように、頂部６２の長手方向に頂部６２を屈曲形成した長尺の凹状突起を長手方向直線状模様６２ａをとしてもよい。
また、図７（ｃ）に示す目地ジョイナー７のように、頂部７２の長手方向に形成した長尺の突起を長手方向直線状模様７２ａをとしてもよい。
更に、図７（ｄ）に示す目地ジョイナー８のように、頂部８２の長手方向に形成した長尺の凹部を長手方向直線状模様８２ａをとしてもよい。
【００３３】
本発明の目地ジョイナーは、頂部の下方に、頂部に平行な中板部又は底板部を更に備えことができる。
目地ジョイナー２９は、図８に示すように、目地ジョイナー１と同一の構成に加えて、更に、頂部１２の下方に底板部１３を備えている。底板部１３は、一対の側部１１の下端と、一対の脚板部１５のそれぞれの内端に接続し、底板部１３と一対の脚板部１５の底面は面一に形成されている。
頂部１２及び底板部１３は、透明又は半透明の樹脂であり、底板部１３には、破線の長手方向直線状模様１３ａが形成されている。
【００３４】
こうすることで、図８及び図９に示すように、下地材１００の墨打ち線１００ａの真上に長手方向直線状模様である破線１３ａを重ね合わせて目地ジョイナー２９を配置することができる。
目地ジョイナー２９の「長手方向直線状模様」の態様、その他の構成及び作用効果は、目地ジョイナー１と同様であり、その説明は省略する。
【００３５】
目地ジョイナー３９は、図１１に示すように、目地ジョイナー２９と同一の形状であって、頂部１２は、透明又は半透明の樹脂であり、底板部１４は、半透明又は不透明の樹脂部分１４ｂと、それより透明度の大きい透明又は半透明の樹脂からなる長手方向直線状模様１４ａが形成されている。
透明、半透明の解釈については、目地ジョイナー１９と同様であり、目地ジョイナー３９の「長手方向直線状模様」の態様、その他の構成及び作用効果は、目地ジョイナー１９及び２９と同様であり、その説明は省略する。
【００３６】
目地ジョイナー４９は、図１２に示すように、目地ジョイナー１と同一の形状に加えて、更に、頂部１２の下方に中板部１６を備えている。中板部１６は、一対の側部１１の内面間に接続して形成されている。
頂部１２及び中板部１６は、透明又は半透明の樹脂であり、中板部１６の長手方向には、長手方向直線状模様１６ａが形成されている。
なお、中板部１６は、一対の側部１１の内面間に接続していれば、上下の位置は特に限定されず、頂部１２近傍の高さに形成してもよく、脚板部１５近傍の高さに形成してもよい。
【００３７】
こうすることで、図１２（ｂ）に示すように、下地材１００の墨打ち線１００ａの真上に長手方向直線状模様１６ａを重ね合わせて目地ジョイナー３９を配置することができる。
【００３８】
長手方向直線状模様１６ａは、頂部の長手方向に平行で幅方向の位置を示す目印としての役割を果たせば、特に限定はされない点は前述の通りである。
更に、目地ジョイナー３９のように、頂部１２は、透明又は半透明の樹脂であり、中板部１４は、半透明又は不透明の樹脂部分と、それより透明度の大きい透明又は半透明の樹脂からなる長手方向直線状模様とすることもできる。
目地ジョイナー４９の「長手方向直線状模様」の態様、その他の構成及び作用効果は、目地ジョイナー２９及び３９と同様であり、その説明は省略する。
【００３９】
目地ジョイナーは、脚板部には、長手方向に対して直角に等間隔の短手方向直線状模様を備えることができる。
図１３に示す目地ジョイナー９は、図１〜図３に示す目地ジョイナー１と同一の形状であって、頂部９２に長手方向に長手方向直線状模様（破線）９２ａを備えている。
そして、更に、脚板部９５に目地ジョイナー９の長手方向に対して直角に複数の短手方向直線状模様９５ｂ（実線）を備えている。
こうすることで、外装材を下方から上方に向かって施工する際に、横並びの外装材の高さを揃えやすくすることができる。
また、図１３に示すように、短手方向直線状模様９５ｂ間交互に着色した着色面域９５ｃがあることが好ましい。
また、着色面域９５ｃを備えることで、目地ジョイナー９が下地材１００に取着されていることを確認しやすい点でも便利である。
【００４０】
なお、短手方向直線状模様は、目地ジョイナー９のように、通常、等間隔に備えているが、目的、用途によっては不等間隔であってもよい。
また、短手方向直線状模様は、前記長手方向直線状模様と同様、実線のみならず、破線、一点鎖線、二点鎖線、点線などであってもよい。また、点線の点の形状は、特に限定されず、円、正方形、菱形などであってもよい。なお、短手方向直線状模様は、頂部の上面に限定されず、下面に備えていてもよい。
更に短手方向直線状模様は、また、図５（ａ）〜（ｄ）に示す目地ジョイナーの長手方向直線状模様と同様、立体的な形状からなる模様であってもよい。
【００４１】
（施工方法）
図１４に示す建物４００に、本発明の実施形態である目地ジョイナー９を用いて外装材２００、３００を施工する例を説明する。以下の施工例は一例であり、この施工例に限定されるものではない。
まず、建物４００の下地材１００に外装材２００、３００を留め付けするには、下地材１００に、留め付ける外装材２００の縦方向端部の取り付け個所の目印として墨打ち線１００ａを描く。次いで、目地ジョイナー９の長手方向直線状模様９２ａとしての破線を墨打ち線１００ａに重ね合わせて、目地ジョイナー９を取付ける。
目地ジョイナー９は、一対の脚板部９５それぞれの長手方向に長手方向直線状模様９５ａを備えているため、長手方向直線状模様９２ａと併用することにより、長手方向直線状模様９２ａを墨打ち線１００ａに更に正確に合わせて取り付けやすい。
【００４２】
そして、予めカットしておいた外装材としてのサイディングボード２０１を下地材１００の最下面に留め付けする。次いで、その上部にサイディングボード２０２を留め付け、２０３〜２０６へと順に留め付けしていく。その際、下地材１００の墨付け線１００ａと目地ジョイナーの長手方向直線状模様９２ａを上部から視認できるため、墨付け線１００ａと長手方向直線状模様９２ａが一致していることを確認しながら、それぞれのサイディングボードを正確に留め付けすることができる。
サイディングボードの上下の位置は、目地ジョイナー９の脚板部９５の短手方向直線状模様９５ｂによって確認することができる。更に、短手方向直線状模様９５ｂ間交互に着色した着色面域９５ｃがあるため、より確認しやすい。
【００４３】
そして、サイディングボード３００を留め付けする。サイディングボード３００もサイディングボード２００と同様、サイディングボード３０１を下地材１００の最下面に留め付けする。次いで、その上部にサイディングボード３０２を留め付け、３０３〜３０６へと留め付けしていく。サイディングボード２００の端面が、墨付け線１００ａを基準に正確に留め付けされているため、サイディングボード３００を構成する各サイディングボードは、プレカットされたまま手直しをすることなく所定の位置に配置することができる。
サイディングボードの取り付けが終了した後は、図３に示すように、サイディングボード２００、３００と目地ジョイナー１とで囲まれた箇所２５０にシーリング材を打設して、施工を完了する。
【００４４】
以上、本発明の目地ジョイナーを実施形態に即して説明したが、本発明はこれらに制限されるものではなく、本発明の技術的思想に反しない限り、適宜変更して適用できることはいうまでもない。
【符号の説明】
【００４５】
１、２、３、４、５、６、７、８、９、１９、２９、３９、４９…目地ジョイナー
１０、２０、３０、４０…凸状部
１１、２１、３１、４１…側部
１２、１６、１７、２２、３２、４２、５２、６２、７２、８２、９２…頂部
１２ａ、１３ａ、１４ａ、１５ａ、１６ａ、１７ａ、２２ａ、３２ａ、４２ａ、５２ａ、６２ａ、７２ａ、８２ａ、９２ａ、９５ａ…長手方向直線状模様
１３…底板部
１６…中板部
１５、２５、３５、４５…脚板部
９５ｂ…短手方向直線状模様
９５ｃ…着色面域
１００…下地材
１００ａ…墨付け線
２００、２０１、２０２、２０３、２０４、２０５、２０６、３００、３０１、
３０２、３０３、３０４、３０５、３０６…外装材（サイディングボード）
４００…建物
【図１】
2019044563.tif 000003
【図２】
2019044563.tif 000004
【図３】
2019044563.tif 000005
【図４】
2019044563.tif 000006
【図５】
2019044563.tif 000007
【図６】
2019044563.tif 000008
【図７】
2019044563.tif 000009
【図８】
2019044563.tif 000010
【図９】
2019044563.tif 000011
【図１０】
2019044563.tif 000012
【図１１】
2019044563.tif 000013
【図１２】
2019044563.tif 000014
【図１３】
2019044563.tif 000015
【図１４】
2019044563.tif 000016